(57)【特許請求の範囲】
【請求項１】
前方に開口を有する貯蔵室が備えられた冷蔵庫本体と、
前記冷蔵庫本体の前記開口を閉鎖する引き出し式の扉と、
前記扉を後方から支持し、前記扉と共に前後方向に移動する支持フレームと、
前記支持フレームに固定された磁性体と、
前記冷蔵庫本体側に取り付けられ、前記磁性体から発生する磁力の大きさを検出する磁気センサと、
前記磁気センサを前記冷蔵庫本体に組み付ける組込体と、
前記支持フレームに対峙する前記冷蔵庫本体を窪ませた領域であり、前記組込体が組み付けられる収納凹部と、
前記収納凹部に隣接した部分の前記冷蔵庫本体を窪ませた凹状領域と、
前記冷蔵庫本体の内部で、前記貯蔵室を上下方向に区切ると共に、前記冷蔵庫本体とは別部材である断熱仕切壁と、を具備し、
前記収納凹部は、前記断熱仕切壁の下面の後端側領域を下方に突出させた突出部分の、左右方向外側に面する側面を窪ませることで形成され、
前記組込体は、底面部と、弾性変形可能に曲折して形成された曲折部と、前記曲折部を部分的に突出させた第１係合爪と、前記第１係合爪とは逆方向に突出する第２係合爪と、を有し、
前記冷蔵庫本体は、前記組込体の前記第１係合爪および前記第２係合爪が係合する第１係合受部および第２係合受部と、前記第１係合受部の近傍で前記冷蔵庫本体を突出させた複数の突出部と、を有し、
前記第１係合爪が突出する方向を第１方向、前記第１方向の逆方向を第２方向、前記第１方向に直交する方向であって前記組込体が組み込まれる方向を第３方向、前記第３方向の逆方向を第４方向とした場合、
前記曲折部の端部を前記第１方向側に曲折させることで押圧部が形成され、
前記第２方向から見た場合、前記押圧部は、前記突出部同士の間に配置され、
前記突出部は、前記支持フレームに対峙する前記凹状領域の内部に於いて、前記第４方向側に向かって突出することで形成され、
前記押圧部の前記第４方向側の端部は、前記突出部の前記第４方向側の端部よりも、前記第３方向側に配置されることを特徴とする冷蔵庫。
【請求項２】
前記貯蔵室の上面を部分的に下方に突出させた取付部を更に具備し、
前記組込体は、前記取付部に形成された前記収納凹部に収納され、
前記突出部は、前記収納凹部よりも前方部分の前記取付部に形成されることを特徴とする請求項１に記載の冷蔵庫。
【発明の詳細な説明】
【技術分野】
【０００１】
本発明は組込体を本体に取り付ける取付構造および冷蔵庫に関し、一例として、扉の開閉状態を検知するセンサを冷蔵庫本体に取り付ける取付構造および冷蔵庫に関する。
【背景技術】
【０００２】
従来から、冷蔵庫には、冷蔵庫本体の開口を閉鎖する扉の開閉状態を検知する検知機構が備えられており、その検知機構としては、スイッチ式のものと磁気を用いたものが知られている。
【０００３】
特許文献１に、磁気を用いて引き出し式の扉の開閉検知を行う冷蔵庫が記載されている。図８の断面図を参照して、この冷蔵庫１００を説明する。冷蔵庫１００は、冷蔵庫本体１０１に、図示しない扉を内側から支えるフレーム１０５を備えている。フレーム１０５は、図示しない扉が前後方向に引き出されると、扉と共に移動する。フレーム１０５の後端には磁気を発生させる磁石１０２が固着されている。一方、フレーム１０５の近傍に於ける、冷蔵庫本体１０１の内部には、プリント基板１０３が内蔵されており、プリント基板１０３には磁気センサ１０４が実装されている。
【０００４】
図示しない扉が閉鎖状態の場合には、フレーム１０５の後端に配置された磁石１０２が、磁気センサ１０４に接近しているので、磁気センサ１０４で検知される磁力が大きくなる。よって、磁気センサ１０４が大きな磁力を検知することで、扉が閉鎖状態であることを検知できる。
【０００５】
一方、図示しない扉が開状態の場合には、フレーム１０５の後端に配置された磁石１０２が、磁気センサ１０４から離れるので、磁気センサ１０４で検知される磁力が小さくなる。よって、磁気センサ１０４が小さな磁力を検知することで、扉が開状態であることを検知できる。
【０００６】
特許文献２に、磁力を用いて引き出し式の扉の開閉検知を行う他の冷蔵庫が記載されている。図９に、この冷蔵庫１１０の断面図を示す。この図を参照して、冷蔵庫１１０の冷蔵庫本体１１１の前方開口部は扉１１２で閉鎖されている。また、扉１１２の上端部付近には磁石１１３が内蔵されており、その磁石１１３に対応するように、冷蔵庫本体１１１にホールＩＣ１１４が配置されている。ホールＩＣ１１４と磁石１１３との間には、磁性体１１５が配置されている。ホールＩＣ１１４が扉１１２の開閉を検知する方法は上記と同様である。ここでは、磁石１１３とホールＩＣ１１４との間に磁性体を配置することで、ホールＩＣ１１４に到達する磁束量が増加し、扉１１２の開閉を検出する精度が向上する。
【先行技術文献】
【特許文献】
【０００７】
【特許文献１】特開平７−３１８２３４号公報
【特許文献２】特開２００９−１２１７４２号公報
【発明の概要】
【発明が解決しようとする課題】
【０００８】
しかしながら、上記した特許文献１に記載された発明では、図８を参照して、冷蔵庫本体１０１にプリント基板１０３が内蔵され、そのプリント基板１０３に磁気センサ１０４が実装されていた。従って、磁気センサ１０４が組み込まれる構造が複雑であったため、製造工程が複雑になる課題があった。更に、メンテナンスや修理のために磁気センサ１０４を取り出すのが容易でない課題もあった。
【０００９】
また、特許文献２に記載された発明でも、図９を参照して、ホールＩＣ１１４は、プリント基板１０３に実装された状態で、冷蔵庫本体１１１に内蔵されていた。従って、特許文献１と同様に、製造工程でホールＩＣ１１４を冷蔵庫本体１１１に組み付けるのが容易でなく、使用状況下にてホールＩＣ１１４をメンテナンスすることも容易でない課題があった。
【００１０】
また、上記した組み付け構造の難しさは、他の電子部品等に関しても同様であり、電子部品を、冷蔵庫等の家電製品を利用するユーザは接触しないようにする一方、それをメンテナンスするエンジニアは操作可能に組み付けることは簡単では無かった。これを可能にする構成として、特殊な構造のビス等を用いて電子部品を組み付ける構造も考えられるが、この構造によると、そのビスに対応した工具をエンジニアが用意する必要があり、メンテナンス作業が煩雑となる課題が生じる。
【００１１】
更にまた、電気安全法の「別表第八へ」を参照すると、電源と接続される部品に於いては、ドライバ等の工具を使わなければ、取り外せない状態にしなければならないことが規定されている。上記したホールＩＣは電源と接続される部品であるので、この規定を満たす組み付け構造で無ければならない。
【００１２】
本発明は上記の問題点を鑑みて成され、本発明の目的は、引き出し式の扉の開閉を検知するセンサが簡易な構成で冷蔵庫本体側に組み付けられた冷蔵庫を提供することにある。
【課題を解決するための手段】
【００１６】
本発明の冷蔵庫は、前方に開口を有する貯蔵室が備えられた冷蔵庫本体と、前記冷蔵庫本体の前記開口を閉鎖する引き出し式の扉と、前記扉を後方から支持し、前記扉と共に前後方向に移動する支持フレームと、前記支持フレームに固定された磁性体と、前記冷蔵庫本体側に取り付けられ、前記磁性体から発生する磁力の大きさを検出する磁気センサと、前記磁気センサを前記冷蔵庫本体に組み付ける組込体と、前記支持フレームに対峙する前記冷蔵庫本体を窪ませた領域であり、前記組込体が組み付けられる収納凹部と、前記収納凹部に隣接した部分の前記冷蔵庫本体を窪ませた凹状領域と、前記冷蔵庫本体の内部で、前記貯蔵室を上下方向に区切ると共に、前記冷蔵庫本体とは別部材である断熱仕切壁と、を具備し、前記収納凹部は、前記断熱仕切壁の下面の後端側領域を下方に突出させた突出部分の、左右方向外側に面する側面を窪ませることで形成され、前記組込体は、底面部と、弾性変形可能に曲折して形成された曲折部と、前記曲折部を部分的に突出させた第１係合爪と、前記第１係合爪とは逆方向に突出する第２係合爪と、を有し、前記冷蔵庫本体は、前記組込体の前記第１係合爪および前記第２係合爪が係合する第１係合受部および第２係合受部と、前記第１係合受部の近傍で前記冷蔵庫本体を突出させた複数の突出部と、を有し、前記第１係合爪が突出する方向を第１方向、前記第１方向の逆方向を第２方向、前記第１方向に直交する方向であって前記組込体が組み込まれる方向を第３方向、前記第３方向の逆方向を第４方向とした場合、前記曲折部の端部を前記第１方向側に曲折させることで押圧部が形成され、前記第２方向から見た場合、前記押圧部は、前記突出部同士の間に配置され、前記突出部は、前記支持フレームに対峙する前記凹状領域の内部に於いて、前記第４方向側に向かって突出することで形成され、前記押圧部の前記第４方向側の端部は、前記突出部の前記第４方向側の端部よりも、前記第３方向側に配置されることを特徴とする。
【００２０】
更に、本発明の冷蔵庫は、前記貯蔵室の上面を部分的に下方に突出させた取付部を更に具備し、前記組込体は、前記取付部に形成された前記収納凹部に収納され、前記突出部は、前記収納凹部よりも前方部分の前記取付部に形成されることを特徴とする。
【発明の効果】
【００２５】
本発明の冷蔵庫は、前方に開口を有する貯蔵室が備えられた冷蔵庫本体と、前記冷蔵庫本体の前記開口を閉鎖する引き出し式の扉と、前記扉を後方から支持し、前記扉と共に前後方向に移動する支持フレームと、前記支持フレームに固定された磁性体と、前記冷蔵庫本体側に取り付けられ、前記磁性体から発生する磁力の大きさを検出する磁気センサと、前記磁気センサを前記冷蔵庫本体に組み付ける組込体と、前記支持フレームに対峙する前記冷蔵庫本体を窪ませた領域であり、前記組込体が組み付けられる収納凹部と、前記収納凹部に隣接した部分の前記冷蔵庫本体を窪ませた凹状領域と、前記冷蔵庫本体の内部で、前記貯蔵室を上下方向に区切ると共に、前記冷蔵庫本体とは別部材である断熱仕切壁と、を具備し、前記収納凹部は、前記断熱仕切壁の下面の後端側領域を下方に突出させた突出部分の、左右方向外側に面する側面を窪ませることで形成され、前記組込体は、底面部と、弾性変形可能に曲折して形成された曲折部と、前記曲折部を部分的に突出させた第１係合爪と、前記第１係合爪とは逆方向に突出する第２係合爪と、を有し、前記冷蔵庫本体は、前記組込体の前記第１係合爪および前記第２係合爪が係合する第１係合受部および第２係合受部と、前記第１係合受部の近傍で前記冷蔵庫本体を突出させた複数の突出部と、を有し、前記第１係合爪が突出する方向を第１方向、前記第１方向の逆方向を第２方向、前記第１方向に直交する方向であって前記組込体が組み込まれる方向を第３方向、前記第３方向の逆方向を第４方向とした場合、前記曲折部の端部を前記第１方向側に曲折させることで押圧部が形成され、前記第２方向から見た場合、前記押圧部は、前記突出部同士の間に配置され、前記突出部は、前記支持フレームに対峙する前記凹状領域の内部に於いて、前記第４方向側に向かって突出することで形成され、前記押圧部の前記第４方向側の端部は、前記突出部の前記第４方向側の端部よりも、前記第３方向側に配置されることを特徴とする。
【００２６】
従って、組込体の第１方向に向かって突出する第１係合部が、冷蔵庫本体の第１係合受部に係合することで、組込体は冷蔵庫本体に組み込まれる。そして、組込体を第１方向とは逆方向となる第２方向から見た場合、曲折部の少なくとも一部を突出部同士の間に配置している。従って、冷蔵庫のメンテナンス等を行う際には、ドライバ等の工具を使って曲折部を押圧することで、第１係合爪と第１係合受部との係合を解いて、組込体を本体から分離することが出来る。また、曲折部の外側の端部を、突出部の外側の端部と同じ位置か、または突出部の外側の端部よりも内側に配置することで、冷蔵庫を使用するユーザが、誤って組込体を本体から外してしまうことが防止される。
【００３０】
更に、本発明の冷蔵庫は、前記貯蔵室の上面を部分的に下方に突出させた取付部を更に具備し、前記組込体は、前記取付部に形成された前記収納凹部に収納され、前記突出部は、前記収納凹部よりも前方部分の前記取付部に形成されることを特徴とする。従って、貯蔵室の上面を部分的に下方に突出させた取付部に、磁気センサを保持する組込体が収納されるので、磁性体と磁気センサとの距離を短くし、磁気センサにより正確に磁力を検知できる。
【図面の簡単な説明】
【００３１】
【図１】本発明の実施形態にかかる取付構造および冷蔵庫を示す図であり、（Ａ）は冷蔵庫を全体的に示す斜視図であり、（Ｂ）はその側面断面図である。
【図２】本発明の実施形態にかかる取付構造および冷蔵庫を示す図であり、（Ａ）は冷蔵庫を制御する制御回路を示すブロック図であり、（Ｂ）はセンサの配置を示す断面図である。
【図３】本発明の実施形態にかかる取付構造および冷蔵庫を示す図であり、（Ａ）は断熱仕切壁を示す斜視図であり、（Ｂ）は扉およびフレームを示す斜視図である。
【図４】本発明の実施形態にかかる取付構造および冷蔵庫を示す図であり、（Ａ）は組込体が組み付けられる取付部を示す側面図であり、（Ｂ）はその断面図である。
【図５】本発明の実施形態にかかる取付構造および冷蔵庫を示す図であり、（Ａ）は組込体を示す斜視図であり、（Ｂ）は組込体を他の視点で示す斜視図である。
【図６】本発明の実施形態にかかる取付構造および冷蔵庫を示す図であり、（Ａ）は組込体が組み付けられる取付部を示す斜視図であり、（Ｂ）は他の視点で取付部を示す斜視図である。
【図７】本発明の実施形態にかかる取付構造および冷蔵庫を示す図であり、（Ａ）から（Ｃ）は、冷蔵庫本体の取付部に、組込体を組み付ける状況を示す断面図である。
【図８】背景技術にかかる冷蔵庫を示す図であり、扉の開閉を検知するセンサが配置される部分を示す断面図である。
【図９】他の背景技術にかかる冷蔵庫を示す図であり、扉の開閉を検知するセンサが配置される部分を示す断面図である。
【発明を実施するための形態】
【００３２】
以下、図を参照して本発明の実施の形態にかかる取付構造および冷蔵庫１０を説明する。本形態では、取付構造として、図４に示すように、磁気センサ５５を内蔵する組込体４８を、本体である冷蔵庫本体に取り付ける取付構造を例示する。
【００３３】
図１を参照して、冷蔵庫１０の概略的構成を説明する。図１（Ａ）は冷蔵庫１０を全体的に示す斜視図であり、図１（Ｂ）は図１（Ａ）のＸ−Ｘ線で冷蔵庫１０を切断した場合の断面図である。
【００３４】
本形態では、上下前後左右の各方向を適宜用いて冷蔵庫１０の構成等を説明する。ここで、左右方向とは、冷蔵庫１０を正面から見た場合の方向を示している。
【００３５】
図１（Ａ）に示すように、本実施形態に係る冷蔵庫１０は、断熱箱体である冷蔵庫本体１２を備え、この冷蔵庫本体１２の内部に食品等を貯蔵する複数の貯蔵室が形成されている。この貯蔵室として、上方から、冷蔵室１４、左冷凍室１８Ａおよび右冷凍室１８Ｂ、下段冷凍室１８Ｃ並びに野菜室２２が形成されている。
【００３６】
ここで、左冷凍室１８Ａ、右冷凍室１８Ｂおよび下段冷凍室１８Ｃは、一つの冷凍室１８を区切ることで形成された小冷凍室である。即ち、冷凍室１８の下方部分は下段冷凍室１８Ｃであり、冷凍室１８の上方左方部分は左冷凍室１８Ａであり、冷凍室１８の上方右方部分は右冷凍室１８Ｂである。
【００３７】
冷蔵庫１０の基本的な機能は、各貯蔵室に収納された食品等の被貯蔵物を所定の温度に冷却することにある。一例として、冷蔵室１４の庫内温度は冷蔵温度域であり、冷凍室の庫内温度は冷凍温度域であり、野菜室２２の庫内温度は冷蔵温度域である。
【００３８】
冷蔵庫本体１２の前面は開口しており、各貯蔵室の開口部には、各々扉が開閉自在に設けられている。冷蔵室１４を塞ぐ扉２４は、右側上下部が冷蔵庫本体１２に回転自在に支持されている。また、左冷凍室１８Ａ、右冷凍室１８Ｂ、下段冷凍室１８Ｃおよび野菜室２２は、夫々、引き出し自在な扉２６Ａ、２６Ｂ、２８および３０で塞がれている。
【００３９】
ここでは、最下段に配置される野菜室２２を塞ぐ扉３０を、前方に引き出して示している。扉３０の後面には、支持フレーム４２が固定されており、その支持フレーム４２により収納容器１９が支持されている。ユーザが扉３０を前後方向に引き出すと、扉３０と共に、支持フレーム４２および収納容器１９も前方に引き出される。
【００４０】
図１（Ｂ）を参照して、冷蔵庫１０の冷蔵庫本体１２は、前面に開口部を有する鋼板製の外箱１２ａと、外箱１２ａの内側に間隙を持たせて配設されて前面に開口部を有する合成樹脂製の内箱１２ｂと、外箱１２ａと内箱１２ｂとの間隙に充填発泡された発泡ポリウレタン製の断熱材１２ｃと、から構成されている。尚、各扉２４〜３０も同様の断熱構造を採用している。また、冷蔵室１４と冷凍室１８との間には断熱仕切壁１５が配置されており、冷凍室１８と野菜室２２との間にも断熱仕切壁１７が配置されている。これらの断熱仕切壁１５、１７も、冷蔵庫本体１２と同様の断熱構造を採用している。
【００４１】
下段冷凍室１８Ｃの後方に形成された冷却室の内部には、上記した各貯蔵室を循環する空気を冷却するための蒸発器である冷却器３６が配置されている。冷却器３６は、圧縮機３８、図示しない放熱器、膨張手段としての図示しないキャピラリーチューブと、冷媒配管を介して接続されており、蒸気圧縮式の冷凍サイクル回路を構成している。冷凍サイクルを構成する圧縮機３８、図示しない放熱器および図示しない膨張弁は、野菜室２２の後方に区画形成された機械室４０に収納されている。
【００４２】
図２を参照して、上記した冷蔵庫１０の冷却動作を制御する制御機構を説明する。図２（Ａ）はこの制御機構を示すブロック図であり、図２（Ｂ）はセンサ等の電子部品の配置を示す断面図である。
【００４３】
図２（Ａ）を参照して、上記した各貯蔵室の開口を閉鎖する扉２４、２６Ａ、２６Ｂ、２８、３０の開閉は、開閉センサ７０、７１、７２、７３、７４で検知されている。開閉センサ７０、７１、７２、７３、７４で検知された扉の開閉状態を示す電気信号は、図示しない配線を経由して制御装置３４に伝送される。
【００４４】
制御装置３４は、所定の演算を実行するマイクロプロセッサを備えている。制御装置３４の入力側端子は上記した各開閉センサ７０等と接続され、制御装置３４の出力側端子は後述する報知装置５８、冷凍サイクル６０および送風ファン６２と接続される。
【００４５】
報知装置５８は、冷蔵庫本体１２や扉２４等に備え付けられ、音や光を発することで使用者に対して報知を行う。
【００４６】
冷凍サイクル６０は、冷媒配管を介して接続された圧縮機３８、図示しない放熱器、図示しない膨張弁および冷却器３６から成り、各貯蔵室に供給される冷気を冷却する。送風ファン６２は、所定の速度で回転することにより、上記した冷凍サイクル６０で冷却された冷気を各貯蔵室に供給する。制御装置３４は、各貯蔵室の庫内温度を計測する温度計の出力に基づいて、冷凍サイクル６０および送風ファン６２を運転し、各貯蔵室の庫内温度を所定の温度帯域に保つ。
【００４７】
制御装置３４は、開閉センサ７０から入力される電気信号に基いて演算処理を行い、扉２４が開いている時間が一定以上となれば報知装置５８を動作させる。これにより、報知装置５８から光や音が発せられ、使用者は扉２４が開状態のままであることを認識し、扉２４等を閉じるようになる。他の扉２６Ａ、２６Ｂ、２８、３０に関しても同様に、開閉センサ７１、７２、７３、７４を用いて、開状態が一定時間以上となれば報知装置５８による報知が行われる。ここで、開閉センサ７０等は冷蔵庫１０の全ての扉２４等に配置されても良いし、一部の扉のみに配置されても良い。
【００４８】
図２（Ｂ）を参照して、上記した開閉センサ７０の位置に関して説明する。
【００４９】
開閉センサ７０は、冷蔵庫本体１２の前方上端部付近に配置されている。開閉センサ７０は所謂スイッチ式センサであり、冷蔵室１４を閉鎖する扉２４に押圧されることで、扉２４が閉状態であることを検知する。開閉センサ７０は、配線６９を経由して機械室４０に内蔵された制御基板４１に接続される。
【００５０】
開閉センサ７４は、野菜室２２の内部にて、扉３０に設けられたレールの後端付近に配置されており、配線６９を経由して制御基板４１と接続されている。開閉センサ７４は、後述するホール素子等の磁気センサ５５であり、扉３０を支持するフレームの後端に設置された磁石から発せられる磁力の大きさを検出する。開閉センサ７４により検出された磁力の大きさが一定以上であれば扉３０が閉状態と判断される一方、その磁力の大きさが一定未満であれば扉３０が開状態と判断される。
【００５１】
開閉センサ７１、７２、７３は、上記した開閉センサ７４と同様の構成で、扉２６Ａ、２６Ｂ、２８の開閉状態を検出する磁気センサであり、配線６９を経由して制御基板４１と接続されている。
【００５２】
制御基板４１は、機械室４０の内部に縦方向に立設された基板であり、上記した制御装置３４を実現させる回路が組み込まれた半導体素子が実装されている。上記した開閉センサ７０等は、配線６９を経由して個別に制御基板４１と接続されている。また、配線６９は、制御基板４１の表面に形成された導電パターンを介して制御装置３４と接続される。
【００５３】
本形態では、開閉センサ７４を構成する磁気センサ５５は、後述する組込体４８を介して冷蔵庫本体１２に組み付けられているが、かかる構成に関しては後述する。
【００５４】
図３を参照して、上記した開閉センサ７４を構成する組込体４８が冷蔵庫本体１２に取り付けられる構造を説明する。図３（Ａ）は断熱仕切壁１７を示す斜視図であり、図３（Ｂ）は扉３０および支持フレーム４２を示す斜視図である。
【００５５】
図３（Ａ）を参照して、断熱仕切壁１７は、図１（Ｂ）に示すように、冷凍室１８と野菜室２２とを区画する部材である。断熱仕切壁１７の下面は、合成樹脂板から成る下面部材４４から構成される。下面部材４４の後端部付近は、その上方部分に図１（Ｂ）に示した冷却器３６が収納される空間及び風路を形成するために、下方に突出している。
【００５６】
下面部材４４の後方左端部付近を、更に下方に突出させることで取付部４５が形成されており、その取付部４５に上記した組込体４８が組み込まれている。使用状況下では、扉３０が閉状態の場合、磁気センサを内蔵する組込体４８は、後述する磁性体４７の右方側に配置される。よって、磁性体４７と磁気センサとを接近させることで、磁性体から発せられる磁力の強さを磁気センサで正確に検知することが可能となる。
【００５７】
図３（Ｂ）を参照して、断熱構造を有する扉３０の後方主面には、後方に向かって伸びる支持フレーム４２が固定されている。支持フレーム４２は、鋼板を所定形状に成型することでレール状に形成され、扉３０の左方端部と右方端部に固定されている。支持フレーム４２の後端には、ローラ７５が回転自在に配設されている。ユーザが扉３０を開閉動作する際には、ローラ７５が、図１（Ｂ）に示す野菜室２２の側壁と接触して回転することで、ユーザは扉３０を容易に引き出すことができる。
【００５８】
扉３０の左方側に配置される支持フレーム４２の後端付近に、例えば磁石である磁性体４７が配置されている。磁性体４７は、扉３０の開閉に伴い、支持フレーム４２と共に前後方向に移動する。磁性体４７は、扉３０が閉状態である場合に開閉センサ７４に最も接近し、扉３０が開状態である場合に開閉センサ７４から離間するようになっている。従って、扉３０が閉状態の場合には、開閉センサ７４は大きな磁力を検出し、扉３０が閉状態の場合には、開閉センサ７４は小さな磁力を検出する。上記した制御装置３４は、この磁力の大きさに基づいて、扉３０が閉状態か開状態かを判断する。
【００５９】
図４を参照して、上記した組込体４８が組み付けられる構成を詳述する。図４（Ａ）は組込体４８が組み付けられる取付部４５を示す側面図であり、図４（Ｂ）は図４のＢ−Ｂ断面に対応する断面図である。
【００６０】
図４（Ａ）を参照して、上記したように、下面部材４４から下方に突出する取付部４５が形成されており、この取付部４５を窪ませることで形成された収納凹部６８に、磁気センサ５５を内蔵する組込体４８が収納されている。また、組込体４８よりも、前方部分の取付部４５の側壁を部分的に突出させることで、突出部４９が形成されている。ここでは、２つの突出部４９が形成されており、両者の離間距離Ｌ１０は、ユーザの指の太さよりも短く設定されている。これにより、冷蔵庫１０を清掃するユーザの指が前方から開閉センサ７４に向かって接近しても、その指が突出部４９同士の間を通過することがない。従って、ユーザの指が組込体４８に接触することで、組込体４８が取付部４５から離脱してしまうことが防止される。
【００６１】
一方、突出部４９同士の離間距離Ｌ１０は、ドライバなどの工具が両者の間を通過できる長さである。ここでは、第１方向である前方に向かって、組込体４８から曲折部６５が形成されており、その曲折部６５の前方に複数の突出部４９が形成されている。そして、第２方向である後方に向かって、組込体４８が組み付けられる部分を見た場合、曲折部６５の少なくとも一部は、突出部４９同士の間に配置されている。従って、冷蔵庫１０の修理やメンテナンスを行う作業者は、ドライバを突出部４９同士の間を通し、そのドライバの先端部で曲折部６５を後方側に向かって押圧し、組込体４８の取り外しを行うことができる。
【００６２】
図４（Ｂ）を参照して、上記した組込体４８は、嵌合構造で取付部４５に取り付けられている。具体的には、組込体４８は、合成樹脂を所定形状に成形した略筐体形状を呈しており、組込体４８の前方端部および後方端部が、取付部４５に係合している。また、組込体４８の内部には、基板５４に実装された磁気センサ５５が内蔵されている。
【００６３】
組込体４８の後端部分を後方に突出させることで第２係合爪５２が形成され、この第２係合爪５２は、取付部４５の第２係合受部５３に係合している。一方、組込体４８の前端部分を前方に突出させることで第１係合爪５０が形成され、この第１係合爪５０は、取付部４５の第１係合受部５１に係合している。組込体４８の具体的形状は、図５を参照して後述する。
【００６４】
また、組込体４８の前方に曲折部６５が形成され、この曲折部６５の左端部分を前方に向かって曲折することで押圧部６６が形成されている。押圧部６６の左端部分は、突出部４９の左端部分と同じ位置か、突出部４９の左端部分よりも右方に配置されている。このようにすることで、突出部４９がユーザーの指の進行を阻む効果が大きくなる。
【００６５】
図５を参照して、上記した磁気センサ５５を保持する組込体４８の形状を具体的に説明する。図５（Ａ）は組込体４８を示す斜視図であり、図５（Ｂ）は他の視点で組込体４８を示す斜視図である。
【００６６】
図５（Ａ）を参照して、組込体４８は、略矩形形状を呈する底面部６３の周辺部付近から、右方に向かって側面部６４が立設されている。また、側面部６４の後方側側面から後方に向かって第２係合爪５２が突出している。前方側の側面部６４の右方端部からは、前後方向に曲折する弾性変形可能な曲折部６５が連続している。曲折部６５の前方を向く側面を部分的に前方に突出させることで、第１係合爪５０が形成されている。また、曲折部６５の左方側の端部を前方に向かって曲折させることで、押圧部６６が形成されている。押圧部６６は、ユーザが、組込体４８を冷蔵庫本体１２から離脱させる際に、ドライバなどの工具で押圧する部位である。
【００６７】
図５（Ｂ）を参照して、側面部６４の内壁を部分的に内側に突出させることで内側突出部６７が形成されている。内側突出部６７は、図４（Ｂ）に示した基板５４の位置を固定するための部位である。
【００６８】
図６を参照して、上記した構成の組込体４８が組み込まれる取付部４５の形状を詳述する。図６（Ａ）は取付部４５の形状を示す斜視図であり、図６（Ｂ）は他の視点で取付部４５の形状を示す斜視図である。
【００６９】
図６（Ａ）を参照して、取付部４５の左方側面を矩形形状に開口することで、上記した組込体４８を収納する収納凹部６８が形成されている。また、収納凹部６８の後方側の側辺部分を切り欠くことで、第２係合受部５３が形成されている。第２係合受部５３の上下後方の長さは、図５（Ａ）に示す組込体４８が有する第２係合爪５２の上下方向の長さと略同一である。第２係合受部５３をこのように形成することで、図５（Ａ）に示す組込体４８の第２係合爪５２が、取付部４５の第２係合受部５３に対して、良好に係合するようになる。
【００７０】
また、収納凹部６８よりも前方部分に於いて、左方に突出する突出部４９が形成されている。ここで、突出部４９の左方側の端部は、取付部４５の左方側側面と同一平面上にあるか、又は、取付部４５の左方側側面よりも僅かに左方に突出する位置に配置される。突出部４９をこのような高さとすることで、ユーザの指の進行を突出部４９で阻むことができる。
【００７１】
図６（Ｂ）を参照して、収納凹部６８の前方側の側辺部分を切り欠くことで、第１係合受部５１が形成されている。第１係合受部５１の上下後方の長さは、図５（Ａ）に示す組込体４８が有する第１係合爪５０の上下方向の長さと略同一である。第１係合受部５１をこのように形成することで、図５（Ａ）に示す組込体４８の第１係合爪５０が、取付部４５の第１係合受部５１に対して、良好に係合する。
【００７２】
図７を参照して、次に、磁気センサ５５が内蔵された組込体４８を、取付部４５に組み込む方法を説明する。図７の各図は、この方法を逐次式に示す断面図である。
【００７３】
図７（Ａ）を参照して、先ず、磁気センサ５５が内蔵された組込体４８を用意し、組込体４８の後端に形成された第２係合爪５２を、取付部４５の収納凹部６８に収納させる。次に、組込体４８の後端に形成された第２係合爪５２を、収納凹部６８の後端に形成された第２係合受部５３に、係合させる。
【００７４】
図７（Ｂ）を参照して、次に、第２係合受部５３に係合している第２係合爪５２を支点として、組込体４８を時計回りに回転させる。そのようにすると、組込体４８の前端に配置された曲折部６５の前面が、組込体４８の第１係合受部５１の端部に押圧される。この状態で更に、組込体４８を時計回りに回転させると、組込体４８の曲折部６５は後方に湾曲し、取付部４５の第１係合受部５１と摺動するようになる。
【００７５】
図７（Ｃ）を参照して、更に組込体４８を回転させると、組込体４８の第１係合爪５０は、収納凹部６８の内部に進入し、第１係合受部５１と係合するようになる。即ち、第１係合爪５０は、弾性変形した曲折部６５の反発力で、第１係合受部５１に押しつけられている。
【００７６】
上記の行程を経て、組込体４８は、冷蔵庫本体１２の取付部４５に取り付けられる。
【００７７】
また、冷蔵庫１０のメンテナンスや修理を行う作業者が、組込体４８を取付部４５から離脱させる場合は、上記と逆の作業が行われる。具体的には、図７（Ｃ）を参照して、図示しないドライバなどの工具を前方から差し込み、組込体４８の押圧部６６を、後方に向かって押圧する。図４（Ａ）を参照して説明したように、組込体４８の前方には複数の突出部４９が形成されているが、突出部４９同士の距離は、指は通過させないが、ドライバ等の工具は通過できる程度とされている。よって、作業者は、ドライバを突出部４９同士の間を通過させ、ドライバの先端部で押圧部６６を後方に向かって押圧し、曲折部６５を後方側に湾曲させる。
【００７８】
次に、図７（Ｂ）を参照して、図示しないドライバで押圧部６６を後方に押圧することで、曲折部６５を湾曲させた状態を維持しつつ、第２係合爪５２を支点として、組込体４８を反時計回りに回転させる。その後、図７（Ａ）に示すように、組込体４８を、取付部４５の収納凹部６８から、離脱させる。
【００７９】
以上、本実施の形態にかかる冷蔵庫１０に関して説明したが、本発明は、上記の実施形態に限定されるものではなく、本発明の要旨を逸脱しない範囲で、種々の変更が可能である。
【００８０】
例えば、上記した本形態では、図３に示す組込体４８を、図１（Ｂ）に示す最下段の野菜室２２に配置したが、左冷凍室１８Ａ等の他の貯蔵室に、かかる構造が適用されても良い。
【００８１】
更に、上記形態では、図４を参照して、磁気センサ５５を冷蔵庫本体に組み込むための組込体４８を一例として説明したが、他の構成に組込体を適用することも出来る。例えば、図１（Ｂ）を参照して、機械室４０は後方から蓋で塞がれるが、この蓋を冷蔵庫本体１２に組み込む構成に、本形態の組込体４８の組込構造を適用させることが出来る。
【００８２】
また、図４（Ｂ）を参照して、組込体４８の前方および後方には、第１係合爪５０および第２係合爪５２が形成されているが、第２係合爪５２は備えられなくても良い。即ち、組込体４８の後端部分が回転可能に取付部４５に取り付けられ、組込体４８の前端部分に形成された第１係合爪５０のみが取付部４５に係合するようにしても良い。
【００８３】
更にまた、上記形態では、本発明の取付構造が適用される機器として冷蔵庫を例示したが、他の機器に本発明の取付構造を適用しても良い。
【符号の説明】
【００８４】
１０   冷蔵庫
１２   冷蔵庫本体
１２ａ 外箱
１２ｂ 内箱
１２ｃ 断熱材
１４   冷蔵室
１５   断熱仕切壁
１７   断熱仕切壁
１８   冷凍室
１８Ａ 左冷凍室
１８Ｂ 右冷凍室
１９   収納容器
１８Ｃ 下段冷凍室
２２   野菜室
２４   扉
２６Ａ 扉
２６Ｂ 扉
２８   扉
３０   扉
３４   制御装置
３６   冷却器
３８   圧縮機
４０   機械室
４１   制御基板
４２   支持フレーム
４４   下面部材
４５   取付部
４７   磁性体
４８   組込体
４９   突出部
５０   第１係合爪
５１   第１係合受部
５２   第２係合爪
５３   第２係合受部
５４   基板
５５   磁気センサ
５８   報知装置
６０   冷凍サイクル
６２   送風ファン
６３   底面部
６４   側面部
６５   曲折部
６６   押圧部
６７   内側突出部
６８   収納凹部
６９   配線
７０   開閉センサ
７１   開閉センサ
７２   開閉センサ
７３   開閉センサ
７４   開閉センサ
７５   ローラ
１００ 冷蔵庫
１０１ 冷蔵庫本体
１０２ 磁石
１０３ プリント基板
１０４ 磁気センサ
１０５ フレーム
１１０ 冷蔵庫
１１１ 冷蔵庫本体
１１２ 扉
１１３ 磁石
１１４ ホールＩＣ
１１５ 磁性体
１１６ 基板
【図１】
0006723500.tif 000002
【図２】
0006723500.tif 000003
【図３】
0006723500.tif 000004
【図４】
0006723500.tif 000005
【図５】
0006723500.tif 000006
【図６】
0006723500.tif 000007
【図７】
0006723500.tif 000008
【図８】
0006723500.tif 000009
【図９】
0006723500.tif 000010